(57)【要約】      （修正有）【課題】冷却剤の出し入れの容易性や脱落の防止を、ファスナー等を用いることなく簡単な構造で可能にし、また冷却剤を使用しないときは、ぬいぐるみとしての使用に止まらず、子供をあやす道具として利用できる冷却剤用のカバーを提供する。【解決手段】裏側を、一方の側端２から反対側の他方の側端３に向かって延ばして表側の布帛と相俟って浅底のポケット状部４ａを形作る一方の裏布部４と、他方の側端３から一方の側端２に向かって延ばして深底のポケット状部５ａを形作る他方の裏布部５とで形成する。冷却剤１の収納口６を、一方の裏布部４が作るポケット状部４ａの中に、他方の裏布部５の開放端５ｂを配置して形成する。他方の側端３に動物の顔を表現している飾り部７を出っ張り状に設ける。飾り部７に、カバー内から手指を入れるための指孔８を形成する。【選択図】図１
0003214241.tif 000002
【実用新案登録請求の範囲】
【請求項１】
冷却剤を収納するよう袋状に形成されている冷却剤用のカバーであって、裏側が、一方の側端から反対側の他方の側端に向かって延ばされて表側の布帛と相俟って浅底のポケット状部を形作る一方の裏布部と、他方の側端から一方の側端に向かって延ばされて深底のポケット状部を形作る他方の裏布部とで形成され、上記冷却剤の収納口が、一方の裏布部が作るポケット状部の中に、他方の裏布部の開放端が配置されて形成され、また他方の側端に動物の顔が表現されている飾り部が出っ張り状に設けられ、この飾り部に、カバー内から手指を入れるための指孔が形成されていることを特徴とする冷却剤用のカバー。
【請求項２】
請求項１記載の冷却剤用のカバーであって、飾り部が他方の側端の中央に設けられ、他方の側端の両側の角部に、手指状の突き出し片が設けられていることを特徴とする冷却剤用のカバー。
【請求項３】
請求項２記載の冷却剤用のカバーであって、突き出し片に、カバー内から手指を入れるための孔が形成されていることを特徴とする冷却剤用のカバー。
【考案の詳細な説明】
【技術分野】
【０００１】
本考案は冷却剤用のカバーに関し、更に詳しくは冷却剤（保冷剤）を収納して冷却枕等に使用できるよう形成した冷却剤用のカバーに関するものである。
【背景技術】
【０００２】
この種のカバーは、冷却剤が皮膚に直接触れることがないから、幼児などが皮膚に炎症を起こしたり、冷却剤の硬い縁で怪我をすることがない。
【０００３】
ただ、冷却剤を収納する形式のカバーの場合は、冷却剤を出し入れする操作を伴うものである。
従って、この種のカバーは、冷却剤の出し入れを容易にでき、しかもなるべく安価に提供できるよう、ファスナーなどの部品を使用することなく、口を開閉できるよう形成されているのが望ましい。
【０００４】
しかるに、従来品は、例えば特許文献１に記載されているように、冷却剤の収納箇所の口を、ファスナーや紐などを使用して開閉するのが通例であった。
【０００５】
従って、従来品は、冷却剤を出し入れする際に、ファスナーを操作したり、紐を結んだり、解いたりする面倒な操作を伴う、という問題点があった。
また従来品は、ファスナー等が必要になる分、コストが増加するのを避けられなかった。
【０００６】
また特許文献１に記載の従来品は、外形が動物等を模して形成されているのに過ぎなかった。
換言すれば、従来品は、ぬいぐるみとして使用することができるのに止まり、冷却剤の不使用時に、子供を積極的にあやす道具としては利用できなかった。
【先行技術文献】
【特許文献】
【０００７】
【特許文献１】特開２００５−１３７５７６号公報
【考案の概要】
【考案が解決しようとする課題】
【０００８】
本考案は、このような従来品の問題点に鑑み、提案されたものである。
従って、本考案の解決しようとする技術的課題は、冷却剤の出し入れの容易性や脱落の防止を、ファスナー等を用いることなく簡単な構造で可能にし、また冷却剤を使用しないときは、ぬいぐるみとしての使用に止まらず、子供をあやす道具として利用できるよう形成し、商品価値が高くなるよう形成した冷却剤用のカバーを提供することにある。
【課題を解決するための手段】
【０００９】
本考案は、上記の課題を解決するため、次のような技術的手段を採る。
即ち本考案は、図１等に示されるように、冷却剤１を収納するよう袋状に形成されている冷却剤用のカバーであって、裏側が、一方の側端２から反対側の他方の側端３に向かって延ばされて表側の布帛と相俟って浅底のポケット状部４ａを形作る一方の裏布部４と、他方の側端３から一方の側端２に向かって延ばされて深底のポケット状部５ａを形作る他方の裏布部５とで形成され、上記冷却剤１の収納口６が、一方の裏布部４が作るポケット状部４ａの中に、他方の裏布部５の開放端５ｂが配置されて形成され、また他方の側端３に動物の顔が表現されている飾り部７が出っ張り状に設けられ、この飾り部７に、カバー内から手指を入れるための指孔８が形成されていることを特徴とする（請求項１）。
【００１０】
本考案品は、通常、布帛で形成されるが、その他、例えば樹脂シート等で形成されるのでも良い。なお、布帛の場合は、洗濯ができ、衛生的に使用できる利点がある。本考案品が布帛で形成される場合は、綿などでクッション質に形成されたり、冷却剤１と接触する内面が、防水加工されているのが良い。また本考案品の場合、外形状は自由であり、表面に柄や模様が施されているのでも良い。なお、飾り部７の動物には、熊や犬等の獣類のほか、人間や魚類も含まれる。
【００１１】
また本考案のカバーは、飾り部７が他方の側端３の中央に設けられ、他方の側端３の両側の角部に、手指状の突き出し片１０が設けられているのが好ましい（請求項２）。
【００１２】
なぜならこれによると、飾り部７に手指を入れ、指人形として子供をあやし易くなるからである。
【００１３】
また本考案のカバーは、図６に示されるように、突き出し片１０に、カバー内から手指を入れるための孔１２が形成されているのが好ましい（請求項３）。
【００１４】
なぜならこれによると、突き出し片１０を手指で操作し易くなり、指人形として細かな操作が可能になるからである。
【考案の効果】
【００１５】
本考案は、このように形成されているから、冷却剤を出し入れする場合は、一方の裏布部が作るポケット状部から、他方の裏布部の開放端を引き出して口を開け、冷却剤を出し入れした後は開口を元通りに戻すことで使用できる。
【００１６】
従って、本考案によれば、冷却剤の出し入れを、簡単、迅速にでき、またファスナー等を用いることなく冷却剤を脱落し難い状態で収納でき、ファスナー等を省略できる分、コストを低廉化できる。
【００１７】
また本考案は、冷却剤を収納しないときは、収納口からカバー内に手を入れ、飾り部の指孔に手指を入れて指人形として使用できる。
従って、これによれば、子供をあやす道具として利用でき、付加価値の高いカバーを提供できる。
【図面の簡単な説明】
【００１８】
【図１】本考案のカバーの好適な一実施形態を示す斜視図である。
【図２】本考案品の正面図である。
【図３】本考案品の背面図である。
【図４】図３のＩＶ−ＩＶ線の要部断面図である。
【図５】本考案品の使用状態時の背面図である。
【図６】本考案品の他の実施形態を示す要部正面図である。
【考案を実施するための形態】
【００１９】
以下、本考案の好適な一実施形態を説明する。
本考案のカバーは、図１等に示されるように、冷却剤１を収納するよう袋状に形成されている。
【００２０】
この実施形態の本考案品は、平面視でほぼ長方形に形作られ、冷却枕として使用できるよう、縦が約３２ｃｍ、横が約２２ｃｍに選定されている。またこの実施形態の場合は、表側、裏側とも、外面がタオル生地、内面が防水加工された生地で、キルト状に縫われて形成されている。
【００２１】
また本考案のカバーは、その裏側が、一方の側端２から反対側の他方の側端３に向かって延ばされて表側の布帛と相俟って浅底のポケット状部４ａを形作る一方の裏布部４と、他方の側端３から一方の側端２に向かって延ばされて深底のポケット状部５ａを形作る他方の裏布部５とで形成されている。一方の裏布部４と他方の裏布部５は、開放端４ｂ、５ｂが夫々帯布で縁取られている。
【００２２】
６（図１等参照）は、冷却剤１の収納口である。この収納口６は、一方の裏布部４が作るポケット状部４ａの中に、他方の裏布部５の開放端５ｂが配置されて形成されている。
【００２３】
開放端５ｂの配置位置は、カバーの大きさなどに合わせて適宜選定されるので良い。この実施形態では、一方の裏布部４の開放端４ｂから、他方の裏布部５の開放端５ｂが５ｃｍ程度挿し込まれて配置されている。
【００２４】
また本考案のカバーは、他方の側端３に動物の顔が表現されている飾り部７が出っ張り状に設けられている。この飾り部７は、この実施形態では他方の側端３の中央に設けられ、パンダの顔がアップリケにより表現されている。
【００２５】
また飾り部７には、カバー内から手指を入れるための指孔８が形成されている。なお、この実施形態では、図２等に示されるように、飾り部７の付け根の下側にあたる表側の布帛の位置に、リボン９が縫い付けられている。
【００２６】
またこの実施形態の本考案品は、他方の側端３の両側の角部に、手指状の突き出し片１０が設けられている。この突き出し片１０は、内部にクッション材が収納され、膨らみ状に形成されている。
【００２７】
また一方の側端２の両側の角部に、足状の突き出し部１１が設けられている。この突き出し部１１も、上記の突き出し片１０と同様、内部にクッション材が収納され、膨らみ状に形成されている。
【００２８】
次に本考案の使用例を、添付図面に従って説明する。
先ず冷却枕として使用する場合は、図１に示されるように、一方の裏布部４が作るポケット状部４ａの中から、他方の裏布部５の開放端５ｂを引き出して収納口６を開け、冷却剤１を入れる。
【００２９】
本考案品は、冷却剤１を入れた後、他方の裏布部５の開放端５ｂを一方の裏布部４が作るポケット状部４ａの中に入れると、一方の裏布部４と他方の裏布部５の重なり合う部分の摩擦によって収納口６がしっかりと閉められる。
【００３０】
また本考案品を指人形として使用する場合は、図５に示されるように、使用者は、収納口６から手を入れ、飾り部７の指孔８に、例えば中指を入れる。そして、使用者は、中指で飾り部７を前後に動かし、また親指や小指等で突き出し片１０を動かして子供をあやす玩具として使用する。
なお、本考案品は、冷却枕として使用しないときは、内部にタオル等を入れて、通常の枕や、ぬいぐるみとして使用することもできる。
【００３１】
以上の処において、本考案のカバーは、図６に示されるように、突き出し片１０に、カバー内から手指を入れるための孔１２が形成されているのでも良い。
この場合は、突き出し片１０を、親指や小指で操作し易くなるから、これによれば、思い通りに突き出し片１０を操ることができ、その分、商品価値を高めることができる。
【符号の説明】
【００３２】
１      冷却剤
２      一方の側端
３      他方の側端
４      一方の裏布部
４ａ    浅底のポケット状部
４ｂ    開放端
５      他方の裏布部
５ａ    深底のポケット状部
５ｂ    開放端
６      収納口
７      飾り部
８      指孔
【図１】
0003214241.tif 000003
【図２】
0003214241.tif 000004
【図３】
0003214241.tif 000005
【図４】
0003214241.tif 000006
【図５】
0003214241.tif 000007
【図６】
0003214241.tif 000008